(57)【要約】  【課題】部品の配置を効率的に行うことができる部品配置評価装置を提供する。  【解決手段】部品配置評価装置は、部品名とその部品名の部品の配置可能位置とを関連づけて記憶した配置可能位置記憶手段と、画面上に表示された配置領域中で特定の部品を配置可能な複数の小領域を表示する領域表示手段と、部品名及び前記複数の小領域の中から選択される該部品名の部品の配置位置を入力する入力手段と、入力された部品名及び配置位置が前記配置可能位置記憶手段に記憶された配置可能位置か否かを判定する判定手段と、前記判定手段の判定結果を出力する出力手段とを備える。【選択図】図８
2006195655.tif 000002
【特許請求の範囲】
【請求項１】
部品名とその部品名の部品の配置可能位置とを関連づけて記憶した配置可能位置記憶手段と、
画面上に表示された配置領域中で特定の部品を配置可能な複数の小領域を表示する領域表示手段と、
部品名及び前記複数の小領域の中から選択される該部品名の部品の配置位置を入力する入力手段と、
入力された部品名及び配置位置が前記配置可能位置記憶手段に記憶された配置可能位置か否かを判定する判定手段と、
前記判定手段の判定結果を出力する出力手段と
を備えることを特徴とする部品配置評価装置。
【請求項２】
部品名とその部品名の部品の配置可能位置とを関連づけて記憶した配置可能位置記憶手段と、
部品名の入力に基づいて画面上に表示された配置領域中で入力された部品名の部品を配置可能な領域を表示する領域表示手段と、
前記領域表示手段による表示に基づいて選択された領域が入力された部品の配置可能位置か否かを判定する判定手段と、
前記判定手段による判定結果を出力する出力手段と
を備えることを特徴とする部品配置評価装置。
【請求項３】
出力手段は、前記判定結果を部品名の一覧表に表示する
ことを特徴とする請求項１又は２に記載の部品配置評価装置。
【請求項４】
前記領域表示手段は、前記配置領域中に特定の部品を配置可能な複数の小領域を表示し、入力された部品名に基づいて該部品名の部品を配置可能な小領域の表示態様を他の小領域の表示態様と異ならせる
ことを特徴とする請求項１〜３のいずれかに記載の部品配置評価装置。
【発明の詳細な説明】
【技術分野】
【０００１】
本発明は、部品配置評価装置に関する。
【背景技術】
【０００２】
個別部品の図形データを読み出して、部品グループ毎に部品グループ配置領域に表示させる技術がある(例えば、特許文献１参照)。また、部品名を含む空間定義データを用いて空間内に部品を簡単且つ自動的に配置する技術がある(例えば、特許文献２参照)。さらに、品番と実装位置及び実装位置の機種等を入力すれば、必要なデータを読み出して実装データが作成されるようにした技術がある(例えば、特許文献３参照)。
【特許文献１】特開平８−２５５１８５号公報
【特許文献２】特開平７−２５４０１６号公報
【特許文献３】特開平５−２２５２９２号公報
【発明の開示】
【発明が解決しようとする課題】
【０００３】
上述した特許文献１に開示される技術では、配置領域を特定した後に、配置領域に属する部品グループから個別部品を選択するように構成されている。
【０００４】
しかしながら、特定の部品を設計要件からどこに配置したら良いのかについては考慮されていない。
【０００５】
本発明は、部品の適正な配置を効率的に行うことができる部品配置評価装置を提供することを目的とする。
【課題を解決するための手段】
【０００６】
本発明は、上述した課題を解決するために以下の構成を採用する。
【０００７】
即ち、本発明は、部品名とその部品名の部品の配置可能位置とを関連づけて記憶した配置可能位置記憶手段と、
画面上に表示された配置領域中で特定の部品を配置可能な複数の小領域を表示する領域表示手段と、
部品名及び前記複数の小領域の中から選択される該部品名の部品の配置位置を入力する入力手段と、
入力された部品名及び配置位置が前記配置可能位置記憶手段に記憶された配置可能位置か否かを判定する判定手段と、
前記判定手段の判定結果を出力する出力手段と
を備えることを特徴とする部品配置評価装置である。
【０００８】
また、本発明は、部品名とその部品名の部品の配置可能位置とを関連づけて記憶した配置可能位置記憶手段と、
部品名の入力に基づいて画面上に表示された配置領域中で入力された部品名の部品を配置可能な領域を表示する領域表示手段と、
前記領域表示手段による表示に基づいて選択された領域が入力された部品の配置可能位置か否かを判定する判定手段と、
前記判定手段による判定結果を出力する出力手段と
を備えることを特徴とする部品配置評価装置である。
【０００９】
好ましくは、本発明における出力手段は、前記判定結果を部品名の一覧表に表示する。
【００１０】
また、好ましくは、本発明における領域表示手段は、前記配置領域中に特定の部品を配置可能な複数の小領域を表示し、入力された部品名に基づいて該部品名の部品を配置可能な小領域の表示態様を他の小領域の表示態様と異ならせる。
【００１１】
また、本発明は、上記したような部品配置評価装置と同様の特徴を持つ部品配置評価方法の発明、或いは、情報処理装置を部品配置評価装置として機能させるプログラムの発明、或いは、該プログラムを記録した記録媒体の発明として特定することも可能である。
【発明の効果】
【００１２】
本発明によれば、部品の適正な配置を効率的に行うことができる。
【発明を実施するための最良の形態】
【００１３】
〈本発明の経緯〉
最初に、本発明の経緯について説明する。車両の設計(例えばインパネに対するスイッチ類の配置設計)を行う場合、図１に示すような部品適正配置一覧表を用い、夫々の部品が配置可能な位置やその配置の優先度を考慮しつつ、採用する部品の決定及びその配置位置を決定している。
【００１４】
しかしながら、部品適正配置一覧表は、文字のみで情報が示されているので、設計者は各部品の配置可能位置を把握するのに困難を伴う場合があった。
【００１５】
本願発明は、部品の配置可能位置や配置結果の適正／不適正を効率的に把握し、効率的な設計を可能とすることができる部品配置評価装置を提供することを目的とする。
【００１６】
〈構成〉
図２は、本発明による部品配置評価装置を実現するコンピュータ(情報処理装置)の構成例を示す図である。図２に示すコンピュータ１０は、例えばパーソナルコンピュータ(ＰＣ)やワークステーション(ＷＳ)のような汎用コンピュータや、専用のコンピュータを適用することが可能である。
【００１７】
図２において、コンピュータ１０は、入力部１１と、表示部１２と、制御部１３と、外部記憶装置１４とを備え、外部記憶装置１４上には、部品データベース(ＤＢ)１５，配置ＤＢ１６，配置要件ＤＢ１７，ファイルＤＢ１８が格納される。
【００１８】
入力部１１は、キーボード，マウス等のポインティングデバイスを用いて構成される。入力部１１は、制御部１３に様々な指示や情報を入力するために使用される。
【００１９】
表示部１２は、陰極線管(ＣＲＴ)、ＬＣＤ(液晶ディスプレイ)、プラズマディスプレイのような様々な表示装置とそのドライバ回路等から構成される。表示部１２は、その表示画面に制御部１３からの指示に基づく様々な情報を表示することができる。
【００２０】
制御部１３は、ＣＰＵ(Central Processing Unit)等のプロセッサ、ＲＯＭ(Read Only Memory)，ＲＡＭ(Random Access Memory)，入出力ユニット(Ｉ／Ｏ)等からなり、ＣＰＵが主記憶装置(ＲＡＭ)にロードされたプログラムを実行することによって、コンピュータ１０を本発明による部品配置評価装置として機能させる。
【００２１】
外部記憶装置１４は、ハードディスク等を用いて構成される。外部記憶装置１４上には、部品ＤＢ１５，配置ＤＢ１６，配置要件ＤＢ１７，ファイルＤＢ１８が作成される。ま
た、外部記憶装置１４は、制御部１３で実行されるプログラムを格納している。
【００２２】
部品ＤＢ１５は、車両の部品名(例えばスイッチ類)とその部品に割り当てられた部品番号とを対応づけた表に係る情報(表示用データを含む)を格納している。配置ＤＢ１６は、部品ＤＢ１５に格納された各部品を配置すべき他の車両部品(例えば、ドア，ルーフ，インパネ，シート等)における当該各部品の配置位置(配置ゾーン)を示す情報(表示用データを含む)を格納している。
【００２３】
配置要件ＤＢ１７は、部品配置評価装置が適用される車種に関する部品の配置要件(配置可能位置、配置優先度等)を示す部品適正配置一覧表(図１参照)に係る情報を格納している。部品適正配置一覧表は、部品ＤＢ１５に格納された各部品に関し、配置ＤＢ１６に格納された他の車両部品に対する配置可能位置に係るデータ(部品名とその配置可能位置とを関連づけたデータ)を含んでいる。
【００２４】
ファイルＤＢ１８には、部品配置評価装置を用いて作成された当該車種について選択された部品の配置位置を示す配置一覧表(部品選択及び配置一覧表２４(図７))を示すデータが格納される。
【００２５】
上述したコンピュータ１０の構成において、配置要件ＤＢ１７を記憶した外部記憶装置１４が本発明の配置可能位置記憶手段に相当する。また、表示部１２が本発明の領域表示手段、出力手段に相当する。また、入力部１１が本発明の入力手段に相当する。また、制御部１３が本発明の判定手段に相当する。また、コンピュータ１０にプリンタを出力手段として接続し、表示内容がシートに印刷出力されるように構成しても良い。
【００２６】
〈画面構成〉
図３は、コンピュータ１０の表示部１２の表示画面に表示される操作画面２１を示す図である。操作画面２１は、部品選択表２２と、配置ゾーン表示領域２３とを有している。部品選択表２２は、各部品の部品名と、各部品に割り当てられた部品番号とを対応づけて示す表である。
【００２７】
図３には、部品選択表２２の例として、部品名Ａ〜Ｈの夫々と、これらに割り当てられた部品番号とが表示されている。部品選択表２２の部品番号を示す各セルは、部品名を指定するためのボタンとして機能する。また、部品名を示す各セルは、直接部品を指定するためのボタンとして機能する。
【００２８】
配置ゾーン表示領域２３には、部品選択表２２で示される各部品を配置可能な他の車両部品に対する当該部品の配置ゾーン(配置領域)を示すイメージが表示される。図３に示す例では、他の車両部品として、インパネ，ドア，シート及びルーフが示されており、これらの夫々に設けられた特定の部品を配置可能な小領域Ｉ〜VIII(破線の矩形で示す)が示されている。各小領域Ｉ〜VIIIの夫々は、部品選択表２２で選択された(即ち入力部１１から入力された)部品名の部品を配置可能な領域であり、部品選択表２２で選択された各部品の配置位置を指定するためのボタンとして機能する。
【００２９】
なお、図３に示した配置ゾーン表示領域２３は、左ハンドル車を想定した場合における部品Ａ〜Ｈの配置位置を決定するためのものである。右ハンドル車が想定される場合には、当該配置ゾーン表示領域２３には、右ハンドル車が想定されたインパネ，ドア，シート及びルーフのレイアウトが示され、右ハンドル車用の配置領域Ｉ〜VIIIが表示される。配置ゾーン表示領域２３に左ハンドル車と右ハンドル車のいずれのレイアウトを表示するかは、コンピュータ１０のオペレータが選択可能に構成されている。
【００３０】
操作画面２１は、次のようにして表示画面に表示される。即ち、コンピュータ１０のオペレータが、操作画面２１の表示指示を入力部１１を用いて入力する。このとき、左ハンドルか右ハンドルかの指定が行われる。すると、制御部２２が部品ＤＢ１５から部品選択表２１の表示データを読み出すとともに、配置ＤＢ１６から配置ゾーン表示領域２３の表示データ(選択されたハンドルに応じている)を読み出し、これらの表示データを表示部１２に渡す。これによって、表示部１２は、制御部１３からの表示データに基づいて、図３に示すような操作画面２１を表示する。
【００３１】
図３の表示例では、部品選択表２２と配置ゾーン表示領域２３とが同時に表示される例が示されているが、最初に部品選択表２２のみが表示され、部品名が選択されると、配置ゾーン表示領域２３が画面上に呼び出されるように構成することもできる。
【００３２】
また、配置ゾーン表示領域２３には、複数の車両部品(インパネ、ドア、シート及びルーフ)の夫々に対する小領域が表示されるように構成されているが、一つの車両部品のみを表示するようになっていても良い。
【００３３】
〈操作例〉
次に、操作画面２１を用いた操作例について説明する。図４〜７は、部品配置評価装置の操作例を示す図である。コンピュータ１０のオペレータは、操作画面２１が表示されると、最初に、配置を行うべき１以上の部品を選択する。この選択は、部品選択表２２に表示された部品番号を指定(例えばマウスでクリック)することによって行われる。
【００３４】
図４には、部品名“Ｃ”の部品番号“３”が指定された場合の例が示されている。部品番号が指定されると、その部品番号を持つ部品名のセルの背景色(初期設定は例えば白)が第１の色(ここでは黄色)に変更される。このように、部品選択表２２において選択された部品名は黄色で表示されるように構成されている。
【００３５】
この部品の選択は、一度に複数の部品について行うことができる。例えば、部品Ｃの選択に続いて、部品Ｄ及びＥの番号が指定されると、部品Ｄ及びＥを示すそれぞれのセルが黄色(選択指示色)で表示される。
【００３６】
次に、オペレータは、選択された部品の中から配置を決定すべき部品を選択・指定する。図５に示す例では、部品Ｃのみが選択されており、部品Ｃが配置を決定すべき部品として選択された場合における操作画面２１の様子が示されている。
【００３７】
配置を決定すべき部品の指定は、黄色で表示されたセルを指定(例えばマウス等でクリック)することにより行われる。図５に示す例では、部品Ｃを示すセルが指定される。すると、配置ゾーン表示領域２３において、部品Ｃを配置可能な(配置が適正な)小領域(小領域の初期設定の背景色は例えば白)が、配置可能領域を示す第２の色(ここでは青色)で表示される。図５に示す例では、各小領域IIIin，IVlwr，及びＶが配置可能領域として青色で表示されている。
【００３８】
選択された部品に対する配置可能領域は、配置要件ＤＢ１７に予め格納された適正部品配置一覧表(部品名とその部品名の部品の適正配置位置との関連付け)に基づき、制御部１３により決定される。このように、選択した部品に対する配置可能領域(適正な配置位置)が所定の色で表示される(他の(不適正な)小領域と異なる表示態様で表示される)ことにより、オペレータは、部品に対する配置可能領域を容易に把握することができる。
【００３９】
次に、オペレータは、選択した部品に対する配置位置を決定する。この操作は、配置ゾーン表示領域２３に表示された小領域のいずれかを指定(例えばマウス等でクリック)する
ことにより行われる。
【００４０】
ここで、オペレータが、配置可能領域(青色で示された小領域)を指定(選択)した場合には、図６(Ａ)に示すように、選択された部品名を示すセルの色が“配置ＯＫ”を示す第３の色(ここでは青色)で表示される。これに対し、配置可能領域以外の小領域が指定された場合には、図６(Ｂ)に示すように、選択された部品名を示すセルの色が“配置ＮＧ”を示す第４の色(ここでは赤色)で表示される。これによって、オペレータは、部品選択表２２を参照することで、選択部品の配置結果が適正(ＯＫ)か不適正(ＮＧ)かを容易に把握することができる。
【００４１】
以上のように、配置すべき１以上の部品の選択を行い、選択した各部品の指定及び配置位置の決定を行うことで、選択された各部品の配置の適正／不適正の判定結果が部品選択表２２に表れる(出力される)ように構成されている。
【００４２】
なお、上述した操作例では、最初に部品番号を指定して配置を行うべき部品を選択する操作を行った。このような操作に代えて、部品番号を選択することなく直接部品名をマウスクリック等によって選択することもできる。この場合には、部品選択表２２のセル背景色の変更は行われず、選択された部品に対する配置可能領域が青色で表示される。その後の操作は、部品番号を選択した後に部品名を選択する場合と同様の操作が行われる。このように、部品の選択を省略して、配置を決定すべき部品を直接に選択することも可能である。
【００４３】
上述した操作による部品の選択結果、選択された部品に対する配置位置の選択結果、及び選択された配置位置の適正／不適正の判定結果は、部品選択及び配置一覧表２４として表示部１３の表示画面に表示(出力)させることができる。図７は、部品選択及び配置一覧表２４の表示例を示す図である。
【００４４】
図７に示すように、部品選択及び配置一覧表２４は、選択された各部品(ここでは各部品Ａ〜Ｄ)についての配置の適正／不適正，配置優先度(図７では表示内容を省略)，配置適正ゾーンを示す表として表される。一覧表２４中の配置適正ゾーンに示された丸印は、配置要件ＤＢ１７に格納された部品適正配置一覧表で予め規定されている配置要件(配置適正位置)を示し、オペレータによる部品名とその配置位置の選択結果を示すセルは、該選択結果を示す所定の第５の色(ここではピンク)で表示される。
【００４５】
そして、オペレータによる部品名とその配置位置の選択結果が配置要件に合致する(ピンクのセルが丸印と重なる)場合には、適正／不適正の判定結果が“ＯＫ”となり、重ならない場合には“ＮＧ”となる。このような結果は、一覧表中２４中の判定結果を示す欄(“判定”欄)に示される。但し、部品の選択のみが行われ、配置位置の選択が行われなかったものについては、当該部品の判定欄は空欄となる。なお、“ＯＫ”や“ＮＧ”の文字は、それぞれ部品選択表２２の表示色と同一又は同系色の色で表示することが好ましい。
【００４６】
図７に示す例では、各部品Ａ〜Ｄが選択され、部品Ａ〜Ｄの中から部品Ｂ〜Ｃに対する各配置位置が指定された場合における一覧表２４が示されている。部品Ａに対する判定欄は、部品Ａの配置位置が指定されていないので空欄となっている。各部品Ｂ及びＤに対する判定欄は、選択された各配置位置(小領域)が配置要件に合致するので“ＯＫ”となっている。そして、部品Ｃに対する判定欄は、部品Ｃの配置位置が配置要件に合致しないので“ＮＧ”となっている。このような判定結果(ＯＫ／ＮＧ)が、図６(Ａ)及び(Ｂ)に示したように、選択部品を示すセルの背景色として表される。
【００４７】
なお、上述した例では、選択部品を示す色、配置可能領域を示す色、配置の適正／不適
正を示す色、部品及びその配置位置の選択結果を示す色が、それぞれ、黄色、青色、青／赤色、ピンクで示されるように構成したが、各色の設定はオペレータが容易にその意味を把握できる限り適宜設定可能である。また、当該実施形態では、夫々の状態を示すためにセル又は領域の背景色を変更するように構成したが、その状態が容易に把握できるようなその他の表示態様とすることも可能である。
【００４８】
オペレータは、図７に示されるような部品選択及び配置一覧表２４(配置の適正／不適正(図１とは一致しない)、各部品の配置優先度)を参照して、既に配置が決定された部品の再配置を行ったり、未選択の部品の選択を行ったりすることができる。そして、予め用意された小領域に対する部品の配置／不配置、及び配置される部品を決定することによって、当該車種に適用される各部品の配置位置が決定された部品選択及び配置一覧表２４を、配置要件ＤＢ１７に格納された部品適正配置一覧表で規定された配置要件に基づき作成することができる。そして、オペレータは、作成された部品選択及び配置一覧表２４を適宜のタイミングでファイルＤＢ１８に格納(保存)することができ、必要に応じて表示画面に呼び出すことができる。
【００４９】
なお、オペレータは、配置要件ＤＢ１７に格納された部品適正配置一覧表を表示画面上に呼び出し、編集を行うこともできる。即ち、配置要件を適宜変更して、上述した操作を行うこともできる。
【００５０】
〈処理〉
図８は、上述した図３〜図７に示した操作が行われる場合における制御部１３の処理を示すフローチャートである。図８に示す処理は、表示部１２の表示画面上に操作画面２１が呼び出されることによって開始される。
【００５１】
図８において、最初に、制御部１３は、部品番号が選択されたか否かを判定する(ステップＳ０１)。即ち、制御部１３は、表示画面に表示された部品選択表２２のいずれかの部品番号の選択を示す入力が入力装置１１から入力されたか否かを判定する。このとき、部品番号の選択入力がある場合(Ｓ０１；ＹＥＳ)には、ステップＳ０２に進み、その選択入力に係る部品の情報を作業領域(ＲＡＭ)に一時格納し、該当セルの背景色を黄色(部品選択色)に変更することを表示部に指示し、処理をステップＳ０１に戻す。これによって、部品番号が選択された部品名のセルが黄色で表示される(図４参照)。
【００５２】
これに対し、部品番号の選択入力がない場合(Ｓ０１；ＮＯ)には、制御部１３は、処理をステップＳ０３に進めて、部品選択表２２から選択された部品名の入力を待ち受ける。部品名の選択入力がない場合(ステップＳ０３；ＮＯ)には、処理をステップＳ０１に戻す。
【００５３】
これに対し、部品名の選択入力があった場合(Ｓ０３；ＹＥＳ)には、制御部１３は、選択された部品名に対応する配置可能領域の青色表示を行う(ステップＳ０４)。具体的には、制御部１３は、配置要件ＤＢ１７から部品適正配置一覧表(図１参照)を読み出し、選択入力された部品名に対応する１以上の配置可能領域(小領域)を割り出し、割り出した配置可能領域の青色表示を表示部１２に対して指示する。これによって、操作画面２１の配置ゾーン表示領域２３中の各配置可能領域に該当する小領域が青色で表示される(図５参照)。
【００５４】
次に、制御部１３は、選択された部品名に対する配置位置(小領域)の選択結果が入力部１１から入力されるのを待ち受ける(ステップＳ０５)。そして、配置位置の選択結果が入力されると(Ｓ０５；ＹＥＳ)、制御部１３は、選択された小領域が配置要件に合致するかを判定する。即ち、制御部１３は、選択された小領域がステップＳ０４で割り出した(特
定した)配置可能領域のいずれかであるか否かを判定する(ステップＳ０６)。
【００５５】
次に、制御部１３は、判定結果に応じた色を部品名のセルの背景色として表示する(ステップＳ０７)。即ち、制御部１３は、ステップＳ０６の判定において、選択された小領域が配置可能領域のいずれかである場合には、配置要件ＯＫと判定し、ステップＳ０３で選択された部品名のセルを青色(ＯＫ色)で表示することを表示部１２に指示する。これによって、該当セルが青色で表示される(図６(Ａ)参照)。
【００５６】
これに対し、制御部１３は、ステップＳ０６の判定において、選択された小領域が配置可能領域のいずれでもない場合には、配置要件ＮＧと判定し、ステップＳ０３で選択された部品名のセルを赤色(ＮＧ色)で表示することを表示部１２に指示する。これによって、該当セルが赤色で表示される(図６(Ｂ)参照)。
【００５７】
次に、制御部１３は、部品選択及び配置一覧表２４の表示指示が入力部１１から入力されたか否かを判定する(ステップＳ０８)。入力がない場合(Ｓ０８；ＮＯ)には、制御部１３は処理をステップＳ０１に戻す。
【００５８】
これに対し、入力があった場合(Ｓ０８；ＹＥＳ)には、制御部１３は、部品選択及び配置一覧表２４の表示処理を行う(ステップＳ０９)。即ち、制御部１３は、ステップＳ０１〜Ｓ０７までに行った処理の履歴を作業領域に保存しており、その履歴情報を用いて部品選択及び配置一覧表２４の表示データを作成し、その表示を表示部１２に対して行う。このようにして、ステップＳ０１〜Ｓ０７の作業の結果を示す部品選択及び配置一覧表２４が表示画面に表示される(図７参照)。
【００５９】
その後、制御部１３は、処理終了の指示が入力部１１から入力されたか否かを判定する(ステップＳ１０)。処理終了の指示が入力されない場合(Ｓ１０；ＮＯ)には、制御部１３は処理をステップＳ０１に戻す。これに対し、処理終了の指示が入力された場合には、ステップＳ０９で作成した部品選択及び配置一覧表２４を保存するか否かを問い合わせ、保存するとの入力があった場合には、部品選択及び配置一覧表２４をファイルＤＢ１８に格納して処理を終了し、保存しないとの入力があった場合には、部品選択及び配置一覧表２４をファイルＤＢ１８に格納することなく処理を終了する。なお、部品選択及び配置一覧表２４は、これの保存コマンドが入力部１３から入力された時点で、制御部１３がファイルＤＢ１８に格納するようにすることが可能である。
【００６０】
〈実施形態の作用効果〉
以上説明した部品配置評価装置の実施形態によれば、オペレータ(例えば車両の設計者)が操作画面２１の部品選択表２２を用いて部品名を選択すると、その選択された部品の配置可能領域に該当する小領域が、特別な表示態様(上記例では青色)で、配置ゾーン表示領域２３に表示される。これによって、オペレータは、選択した部品の配置が適正な領域を容易に把握することができ、適正な位置に部品を容易に配置することができる。
【００６１】
また、選択された部品に対する配置領域を選択すると、その選択結果が適正か否かが選択された部品のセルの背景色で示される。即ち、選択された配置領域が適正であればセルが青色で表示され、不適正であれば赤色で表示される。これによって、オペレータは、部品の配置位置が適正か否かを容易に把握することができる。
【００６２】
さらに、部品の選択結果、部品に対する配置位置の結果、及び配置位置が適正か否かを示す結果が、これらと共に部品の配置優先度を示す部品選択及び配置一覧表２４として表示される。オペレータは、配置優先度や、配置適正ゾーンに表示された配置可能領域等を考慮しつつ、部品の再配置を行ったり、他の部品の配置を継続したりすることができる。
【図面の簡単な説明】
【００６３】
【図１】図１は、部品適正配置一覧表を示す図である。
【図２】図２は、本発明による部品配置評価装置として機能するコンピュータの構成例を示す図である。
【図３】図３は、図２に示した表示部の表示画面に表示される操作画面の表示例を示す図である。
【図４】図４は、操作例の説明図であり、操作画面を用いて部品番号が選択された様子を示す図である。
【図５】図５は、操作例の説明図であり、操作画面を用いて部品名が選択された場合の様子を示す図である。
【図６】図６は、操作例の説明図であり、図６(Ａ)は選択された配置領域が適正である場合の表示例を示し、図６(Ｂ)は選択された配置領域が不適正である場合の表示例を示す。
【図７】図７は、操作例の説明図であり、部品選択及び配置一覧表の表示例を示す図である。
【図８】図８は、操作時における、図２に示した制御部による処理を示すフローチャートである。
【符号の説明】
【００６４】
１０・・・コンピュータ
１１・・・入力部
１２・・・表示部
１３・・・制御部
１４・・・外部記憶装置
１５・・・部品ＤＢ
１６・・・配置ＤＢ
１７・・・配置要件ＤＢ
１８・・・ファイルＤＢ
２１・・・操作画面
２２・・・部品選択表
２３・・・配置ゾーン表示領域
２４・・・部品選択及び配置一覧表
【図１】
2006195655.tif 000003
【図２】
2006195655.tif 000004
【図３】
2006195655.tif 000005
【図４】
2006195655.tif 000006
【図５】
2006195655.tif 000007
【図６】
2006195655.tif 000008
【図７】
2006195655.tif 000009
【図８】
2006195655.tif 000010